Podtech/llm-jp-corpus-v4-ja_patent huggingface dataset:
【手続補正書】
【提出日】平成16年11月29日(2004.11.29)
【手続補正１】
【補正対象書類名】明細書
【補正対象項目名】発明の名称
【補正方法】変更
【補正の内容】
【発明の名称】データ処理装置、及び、データ処理装置のファンクションの表示画面のカスタマイズ方法
【手続補正２】
【補正対象書類名】明細書
【補正対象項目名】特許請求の範囲
【補正方法】変更
【補正の内容】
【特許請求の範囲】
【請求項１】
複数のファンクションを有するデータ処理装置であって、
前記データ処理装置が具備するファンクションの表示画面を表示部に表示させ、且つ、前記表示部に表示させるファンクションの表示画面を、前記データ処理装置が具備する別のファンクションの表示画面に切り替える為のファンクション切り換えキーを前記表示部に表示させる、表示制御手段と、
前記複数のファンクションの中から前記表示部に表示画面を表示させるファンクションを選択する表示ファンクション選択手段と、
前記選択されたファンクションが前記表示部に表示画面を表示させる対象のファンクションとなるように、前記選択されたファンクションに関わる表示制御情報を記憶手段に記憶させる表示ファンクション記憶制御手段とを有し、
更に、前記表示制御手段は、
前記記憶手段に記憶された前記表示制御情報に応じて、前記表示部に表示させる前記ファンクション切り替えキーの表示を制御することを特徴とするデータ処理装置。
【請求項２】
前記表示制御手段は、前記記憶手段に記憶された前記表示制御情報に応じて、前記表示部に表示させる前記ファンクション切り替えキーの前記表示部における表示個数を制御することを特徴とする請求項１記載のデータ処理装置。
【請求項３】
前記表示制御手段は、前記記憶手段に記憶された前記表示制御情報に応じて、前記表示部に表示させる前記ファンクション切り替えキーの前記表示部における表示サイズを制御することを特徴とする請求項１または２記載のデータ処理装置。
【請求項４】
前記データ処理装置は、スキャナとプリンタを有する画像形成装置であることを特徴とする請求項１乃至３の何れかに記載のデータ処理装置。
【請求項５】
前記データ処理装置は、自装置が具備するスキャナと自装置が具備するプリンタを使用して複写を行う機能と、自装置が具備するスキャナと他装置が具備するプリンタを使用して複写を行う機能と、自装置に入力した画像データを他の装置へ送信する機能と、前記データ処理装置に入力した画像データを自装置の記憶装置に記憶させる機能と、前記データ処理装置に入力した画像データを他装置の記憶装置に記憶させる機能、のうちの、少なくとも２つの機能を具備することを特徴とする請求項１乃至４の何れかに記載のデータ処理装置。
【請求項６】
複数のファンクションを有するデータ処理装置のファンクションの表示画面のカスタマイズ方法であって、
前記データ処理装置が具備するファンクションの表示画面を表示部に表示させ、且つ、前記表示部に表示させるファンクションの表示画面を、前記データ処理装置が具備する別のファンクションの表示画面に切り替える為のファンクション切り換えキーを前記表示部に表示させる、表示制御ステップと、
前記複数のファンクションの中から前記表示部に表示画面を表示させるファンクションを選択する表示ファンクション選択ステップと、
前記選択されたファンクションが前記表示部に表示画面を表示させる対象のファンクションとなるように、前記選択されたファンクションに関わる表示制御情報を記憶手段に記憶させる表示ファンクション記憶制御ステップとを有し、
更に、前記表示制御ステップは、
前記記憶手段に記憶された前記表示制御情報に応じて、前記表示部に表示させる前記ファンクション切り替えキーの表示を制御することを特徴とするカスタマイズ方法。
【請求項７】
前記表示制御ステップは、前記記憶手段に記憶された前記表示制御情報に応じて、前記表示部に表示させる前記ファンクション切り替えキーの前記表示部における表示個数を制御することを特徴とする請求項６記載のカスタマイズ方法。
【請求項８】
前記表示制御ステップは、前記記憶手段に記憶された前記表示制御情報に応じて、前記表示部に表示させる前記ファンクション切り替えキーの前記表示部における表示サイズを制御することを特徴とする請求項６または７記載のカスタマイズ方法。
【請求項９】
前記データ処理装置は、スキャナとプリンタを有する画像形成装置であることを特徴とする請求項６乃至８の何れかに記載のカスタマイズ方法。
【請求項１０】
前記データ処理装置は、自装置が具備するスキャナと自装置が具備するプリンタを使用して複写を行う機能と、自装置が具備するスキャナと他装置が具備するプリンタを使用して複写を行う機能と、自装置に入力した画像データを他の装置へ送信する機能と、前記データ処理装置に入力した画像データを自装置の記憶装置に記憶させる機能と、前記データ処理装置に入力した画像データを他装置の記憶装置に記憶させる機能、のうちの、少なくとも２つの機能を具備することを特徴とする請求項６乃至９の何れかに記載のカスタマイズ方法。
【手続補正３】
【補正対象書類名】明細書
【補正対象項目名】０００５
【補正方法】変更
【補正の内容】
【０００５】
【課題を解決するための手段】
上記課題を解決するべく、請求項１に記載の発明は、複数のファンクションを有するデータ処理装置であって、前記データ処理装置が具備するファンクションの表示画面を表示部に表示させ、且つ、前記表示部に表示させるファンクションの表示画面を、前記データ処理装置が具備する別のファンクションの表示画面に切り替える為のファンクション切り換えキーを前記表示部に表示させる、表示制御手段と、前記複数のファンクションの中から前記表示部に表示画面を表示させるファンクションを選択する表示ファンクション選択手段と、前記選択されたファンクションが前記表示部に表示画面を表示させる対象のファンクションとなるように、前記選択されたファンクションに関わる表示制御情報を記憶手段に記憶させる表示ファンクション記憶制御手段とを有し、更に、前記表示制御手段は、
前記記憶手段に記憶された前記表示制御情報に応じて、前記表示部に表示させる前記ファンクション切り替えキーの表示を制御することを特徴とする。
【手続補正書】
【提出日】平成17年6月2日(2005.6.2)
【手続補正１】
【補正対象書類名】明細書
【補正対象項目名】特許請求の範囲
【補正方法】変更
【補正の内容】
【特許請求の範囲】
【請求項１】
所定の情報信号で変調された信号光を送信する光空間伝送装置であって、
前記信号光の送信光学系の最終光学面は撥水処理がなされていることを特徴とする光空間伝送装置。
【請求項２】
前記最終光学面は前記光空間伝送装置の防塵部材の一面であることを特徴とする請求項１に記載の光空間伝送装置。
【請求項３】
前記撥水処理はフッ素系材料のコーティングであることを特徴とする請求項１または２に記載の光空間伝送装置。
【手続補正２】
【補正対象書類名】明細書
【補正対象項目名】０００７
【補正方法】変更
【補正の内容】
【０００７】
【課題を解決するための手段】
請求項１の発明の光空間伝送装置は、所定の情報信号で変調された信号光を送信する光空間伝送装置であって、
前記信号光の送信光学系の最終光学面は撥水処理がなされていることを特徴としている。
請求項２の発明は請求項１の発明において、前記最終光学面は前記光空間伝送装置の防塵部材の一面であることを特徴としている。
請求項３の発明は請求項１又は２の発明において、前記撥水処理はフッ素系材料のコーティングであることを特徴としている。
【手続補正３】
【補正対象書類名】明細書
【補正対象項目名】０００８
【補正方法】変更
【補正の内容】
【０００８】
【発明の実施の形態】
（実施例）
図１は、本発明の実施例の要部概略図である。尚、従来例の図と基本機能の変わらないものには、同じ番号を付与した。図中１は、光空間伝送装置の筐体である。筐体内には、２の投光用光学装置が搭載されている。装置は塵や埃が侵入すると悪影響があるので、防塵ガラス３にて、外気から装置内に塵や埃が侵入することを防止している。投光用光学装置を発した光は、この防塵ガラスを透過して、大気中に伝搬する。光空間伝送装置の通信距離は、５０ｍ程度から数ｋｍ程度と、非常に長い距離である。そのため、装置から発する光は、広がりによる光エネルギーの減少を避けるため、５０ｍでも広がり角が０．０１〜０．０２ラジアン程度のほぼ平行に近い光束を発するように設計されている。
【手続補正４】
【補正対象書類名】明細書
【補正対象項目名】００１５
【補正方法】変更
【補正の内容】
【００１５】
図３は、別の実施形態である。図中１は、光空間伝送装置の筐体である。筐体内には、１２の投光用光学装置が搭載されている。本実施例の投光用光学装置は、防塵ガラス２３を有し、そのガラス表面には、表面処理４が施されている。装置は塵や埃が侵入すると悪影響があるので、防塵部材２７によって、光学装置１２と筐体１の隙間から、塵や埃が侵入しない構造としている。また、投光用光学装置１２は、防塵ガラス２３によって、外気から光学装置内に塵や埃が侵入することを防止している。投光用光学装置を発した光は、この防塵ガラスを透過して、大気中に伝搬する。この時、防塵ガラス２３は、必ずしも平面である必要がなく、防塵ガラスとレンズ（光線屈折面）を兼ねても良い。
【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
音等による振動を静電容量変化に変換するためのダイヤフラムとバックプレートを含むコンデンサ部と、
上記コンデンサ部で変換した静電容量変化を電気信号に変換するためのインピーダンス変換素子を含む回路基板と、
上記コンデンサ部と上記回路基板とを電気的に接続するための導通部と、
を備えるコンデンサマイクロホンにおいて、
上記導通部の上記コンデンサ部との接触部は平面部材を切り起こした複数の板バネにより形成されていることを特徴とするコンデンサマイクロホン。
【請求項２】
音等による振動を静電容量変化に変換するためのダイヤフラムとバックプレートを含むコンデンサ部と、
上記コンデンサ部で変換した静電容量変化を電気信号に変換するためのインピーダンス変換素子を含む回路基板と、
上記コンデンサ部と上記回路基板とを電気的に接続するための導通部と、
を備えるコンデンサマイクロホンにおいて、
上記導通部の上記コンデンサ部との接触部は平面部材の外周部に形成した複数の板バネにより構成されていることを特徴とするコンデンサマイクロホン。
【請求項３】
上記導通部は、底部のある略円筒形のキャップ状部材で形成され、上記平面部材を上記底部により構成したことを特徴とする請求項１または請求項２記載のコンデンサマイクロホン。
【請求項４】
音等による振動を静電容量変化に変換するためのダイヤフラムとバックプレートを含むコンデンサ部と、
上記コンデンサ部で変換した静電容量変化を電気信号に変換するためのインピーダンス変換素子を含む回路基板と、
上記コンデンサ部と上記回路基板とを電気的に接続するための導通部と、
を備えるコンデンサマイクロホンにおいて、
上記導通部の上記コンデンサ部との接触部はバネにより形成され、上記導通部の上記回路基板との接触部はリング状部材で形成されていることを特徴とするコンデンサマイクロホン。
【請求項５】
上記バネは板バネにより形成されていることを特徴とする請求項４記載のコンデンサマイクロホン。
【請求項６】
上記接触部である上記板バネには、上記コンデンサ部と接触するためのストレート部が設けられていることを特徴とする請求項１から請求項３又は請求項５の何れかに記載のコンデンサマイクロホン。
【請求項７】
上記板バネの切り起こし元部の折り目は、上記ストレート部と平行に設けられていることを特徴とする請求項６記載のコンデンサマイクロホン。
【手続補正書】
【提出日】平成17年6月17日(2005.6.17)
【手続補正１】
【補正対象書類名】明細書
【補正対象項目名】特許請求の範囲
【補正方法】変更
【補正の内容】
【特許請求の範囲】
【請求項１】
先端部に撮像素子を有する挿入部と、
前記撮像素子に対する信号処理を行う信号処理部を内蔵した装置本体と、
前記信号処理部により信号処理された映像信号を記録する画像記録部と前記映像信号を表示する画像表示部とを個人情報端末で構成したことを特徴とする内視鏡装置。
【請求項２】
前記個人情報端末は前記装置本体と着脱可能であることを特徴とする請求項１に記載の内視鏡装置。
【請求項３】
前記個人情報端末は接続ケーブルを介して前記装置本体に接続され着脱可能であることを特徴とする請求項１に記載の内視鏡装置。
【請求項４】
前記個人情報端末および前記装置本体は、前記個人情報端末と前記装置本体とを電気的に接続する接続部を設けたことを特徴とする請求項１に記載の内視鏡装置。
【請求項５】
前記個人情報端末は内視鏡装置の機能を持つプログラムが格納されていることを特徴とする請求項４に記載の内視鏡装置。
【請求項６】
前記接続部はＵＳＢコネクタであることを特徴とする請求項４に記載の内視鏡装置。
【請求項７】
前記個人情報端末は前記装置本体から電力供給されることを特徴とする請求項１に記載の内視鏡装置。
【請求項８】
前記個人情報端末の側面に個人情報端末用電源スイッチを設け、該個人情報端末用電源スイッチを前記装置本体に装着した際に、前記装置本体の収納溝の壁面に設けた凸部により該個人情報端末用電源スイッチをＯＮ状態に設定することを特徴とする請求項１に記載の内視鏡装置。
【請求項９】
前記装置本体に前記装置本体および前記個人情報端末の電源に連動して電力供給入力または停止をする装置本体電源スイッチを設け、前記装置本体および前記個人情報端末を動作状態または停止できることを特徴とする請求項１に記載の内視鏡装置。
【請求項１０】
前記個人情報端末に画像の記録または再生を指示操作する第１の指示操作手段を設けたことを特徴とする請求項１に記載の内視鏡装置。
【請求項１１】
さらに、前記装置本体に画像の記録または再生を指示操作する第２の指示操作手段を設け、前記第１の指示操作手段または前記第２の指示操作手段を選択し、画像の記録または再生をおこなえることを特徴とする請求項１０に記載の内視鏡装置。
【請求項１２】
前記装置本体と着脱自在に接続されたユニバーサルコードを有する内視鏡本体に前記第２の指示操作手段を設けたことを特徴とする請求項１１に記載の内視鏡装置。
【手続補正２】
【補正対象書類名】明細書
【補正対象項目名】００１８
【補正方法】変更
【補正の内容】
【００１８】
【課題を解決するための手段】
先端部に撮像素子を有する挿入部と、前記撮像素子に対する信号処理を行う信号処理部を内蔵した装置本体と、前記信号処理部により信号処理された映像信号を記録する画像記録部と前記映像信号を表示する画像表示部とを個人情報端末で構成したことにより、低コストで実現できると共に、小型軽量化を可能として携帯移動もし易い内視鏡装置を実現している。
【手続補正３】
【補正対象書類名】明細書
【補正対象項目名】００２４
【補正方法】変更
【補正の内容】
【００２４】
この挿入部３の基端が接続される装置本体２は、上述のようにライトガイド１１に照明光を供給する光源１２と、信号線１５により撮像素子１４と電気的に接続されるＣＣＵ１６とを有すると共に、このＣＣＵ１６から出力されるビデオ信号をデジタルのビデオ信号に変換するＡ／Ｄ変換器１７と、光源１２等に電力を供給する電源２６とを内蔵している。そして、この装置本体２のコネクタ部５ｂにはＰＤＡ４のコネクタ部５ａが着脱可能に接続される。
【手続補正４】
【補正対象書類名】明細書
【補正対象項目名】００２５
【補正方法】変更
【補正の内容】
【００２５】
このＰＤＡ４は、内部のバスライン１８にＣＰＵ１９、ＲＯＭ２０、ＲＡＭ２１、表示用ＲＡＭ６、メモリカード２３、入出力インタフェース２４とが接続されている。この入出力インタフェース２４には、操作ボタン２５が接続されている。
このバスライン１８はコネクタ部５ａ、５ｂを介して装置本体２のＡ／Ｄ変換器１７にも接続される。
【手続補正５】
【補正対象書類名】明細書
【補正対象項目名】００２７
【補正方法】変更
【補正の内容】
【００２７】
また、ＰＤＡ４に内蔵した電池７はＰＤＡ４内部の各部に動作用の電力を供給すると共に、コネクタ部５ａ、５ｂを介して装置本体２内部の電源２６とも接続される。そして、ＰＤＡ４側の電池７は装置本体２の電源２６により電気エネルギが供給される（つまり、充電される）ようにしている。
【手続補正６】
【補正対象書類名】明細書
【補正対象項目名】００２９
【補正方法】変更
【補正の内容】
【００２９】
図２は図１の概略の外観形状を示す。
図２に示すように、例えば箱型の装置本体２から挿入部３が延出され、この装置本体２の例えば上面には略長方形状の収納溝４１が形成され、この収納溝４１の最深部にはコネクタ部５ｂが設けてある。
【手続補正７】
【補正対象書類名】明細書
【補正対象項目名】００３０
【補正方法】変更
【補正の内容】
【００３０】
そして、この収納溝４１には、例えば略長方形状でその底部にコネクタ部５ａが設けられたＰＤＡ４を嵌合するようにして収納することにより、コネクタ部５ａをコネクタ部５ｂに装着することで装置本体２にＰＤＡ４を機械的に固定でき、かつ電気的な接続もできるようにしている。
【手続補正８】
【補正対象書類名】明細書
【補正対象項目名】００４０
【補正方法】変更
【補正の内容】
【００４０】
撮像素子１４は装置本体２内部のＣＣＵ１６により駆動されると共に、撮像素子１４から出力される撮像信号に対する信号処理が行われ、ビデオ信号が生成され、Ａ／Ｄ変換器１７によりデジタルのビデオ信号に変換されてコネクタ部５ｂ、５ａを介してＰＤＡ４側に送られる。
【手続補正９】
【補正対象書類名】明細書
【補正対象項目名】００８８
【補正方法】変更
【補正の内容】
【００８８】
【発明の効果】
以上説明したように本発明によれば、先端部に撮像素子を有する挿入部と、前記撮像素子に対する信号処理を行う信号処理部を内蔵した装置本体と、前記信号処理部により信号処理された映像信号を記録する画像記録部と前記映像信号を表示する画像表示部とを個人情報端末で構成しているので、低コストで実現できると共に、小型軽量化を可能として携帯移動もし易い内視鏡装置を実現できる。
【手続補正書】
【提出日】平成17年1月27日(2005.1.27)
【手続補正１】
【補正対象書類名】明細書
【補正対象項目名】００５８
【補正方法】変更
【補正の内容】
【００５８】
次に、図７を参照して、カプラ２２Ｇの回路構成の一例について説明する。図７に示したカプラ２２Ｇは、入力端子１７１と、出力端子１７２と、モニタ端子１７３と、負荷接続端子１７４とを有している。カプラ２２Ｇは、更に、一端が入力端子１７１に接続され、他端がモニタ端子１７３に接続されたキャパシタ１７５と、一端が入力端子１７１に接続され、他端が出力端子１７２に接続されたインダクタ１７６と、一端がモニタ端子１７３に接続され、他端が負荷接続端子１７４に接続されたインダクタ１７７と、一端が出力端子１７２に接続され、他端が負荷接続端子１７４に接続されたキャパシタ１７８とを有している。モニタ端子１７３は、自動出力制御回路２３Ｇの入力端に接続されるようになっている。負荷接続端子１７４は、５０Ωの負荷を介して接地されるようになっている。なお、図１におけるカプラ２２Ｄ，３３Ｗ，３３Ｎの回路構成は、カプラ２２Ｇと同様である。
【手続補正２】
【補正対象書類名】明細書
【補正対象項目名】０１４１
【補正方法】変更
【補正の内容】
【０１４１】
以上説明したように、本実施の形態に係るフロントエンドモジュール３０２は、ＡＭＰＳ帯域とＰＣＳ帯域とを分離するダイプレクサ３１０と、ＡＭＰＳ帯域における送信信号と受信信号とを分離するデュプレクサ３１２と、ＰＣＳ帯域における送信信号と受信信号とを分離するデュプレクサ３１３と、ＧＰＳにおける受信信号を選択的に通過させるＢＰＦ３１４とを備えている。デュプレクサ３１２は、それぞれフィルタとして機能する２つの弾性波素子を含んでいる。デュプレクサ３１３も、それぞれフィルタとして機能する２つの弾性波素子を含んでいる。本実施の形態では、ダイプレクサ３１０、デュプレクサ３１２，３１３およびＢＰＦ３１４は、集積用多層基板４３０によって集積されている。ダイプレクサ３１０は、集積用多層基板４３０の内部または表面上の導体層を用いて構成されている。
【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】
番組編成時刻に基づき、テレビジョン放送番組のベースバンド映像信号を処理するテレビジョン放送番組処理装置に適用され、前記ベースバンド映像信号にフレーム同期させるための同期信号を発生する同期発生装置の位相校正を行なう同期位相校正装置であって、
外部から標準時刻情報を取得する標準時刻取得手段と、
外部から位相校正指示信号が入力されたとき、前記標準時刻取得手段の出力から前記ベースバンド映像信号のフレームと前記同期信号との位相誤差を求め、この位相誤差が所定値以下となるタイミングで前記同期発生装置から発生される同期信号の位相を前記ベースバンド映像信号のフレームに合わせるように制御する同期位相制御手段とを具備したことを特徴とする同期位相校正装置。
【請求項２】
前記同期位相制御手段は、
前記ベースバンド映像信号と前記同期信号との位相誤差が所定値以下となる複数の時刻情報を記憶する時刻情報記憶手段と、
前記標準時刻取得手段から出力される標準時刻情報と前記時刻情報記憶手段に記憶された時刻情報とを比較する時刻比較手段と、
外部から位相校正指示信号が入力されたとき、前記時刻比較手段の比較結果に基づいて前記同期発生装置の同期信号発生処理をリセットするリセット手段とを備えることを特徴とする請求項１記載の同期位相校正装置。
【請求項３】
前記標準時刻取得手段は、標準時刻電波を受信し、その受信信号から前記標準時刻情報を生成することを特徴とする請求項１記載の同期位相校正装置。
【請求項４】
前記標準時刻情報における閏秒の発生に応じて、前記標準時刻取得手段で得られる標準時刻情報を閏秒だけずらす時刻情報更新手段をさらに備えることを特徴とする請求項１記載の同期位相校正装置。
【請求項５】
番組編成時刻に基づき、テレビジョン放送番組のベースバンド映像信号を放送信号に変換して第１の放送サービスエリア内に送出する第１の放送局と、この第１の放送局と中継回線を介して接続され、前記第１の放送局から中継回線を介して送出されたベースバンド映像信号を受信して信号処理を加えた後、前記第１の放送サービスエリアとは異なる第２の放送サービスエリア内に放送信号として送出する第２の放送局とを備えたテレビジョン放送番組中継送出システムの前記第１及び第２の放送局にそれぞれ用いられ、前記第１及び第２の放送局間におけるベースバンド映像信号の同期処理に供されることを特徴とする請求項１記載の同期位相校正装置。
【請求項６】
番組編成時刻に基づき、テレビジョン放送番組のベースバンド映像信号を処理するテレビジョン放送番組処理装置で使用され、前記ベースバンド映像信号にフレーム同期した同期信号を発生する同期発生装置の位相校正を行なう同期位相校正方法であって、
外部から標準時刻情報を取得する第１の過程と、
外部から位相校正指示信号が入力されたとき、前記第１の過程による取得結果から前記ベースバンド映像信号のフレームと前記同期信号との位相誤差を求め、この位相誤差が所定値以下となるタイミングで前記同期発生装置から発生される同期信号の位相を前記ベースバンド映像信号のフレームに合わせるように制御する第２の過程とを具備したことを特徴とする同期位相校正方法。
【請求項７】
番組編成時刻に基づき、テレビジョン放送番組の映像信号を処理するテレビジョン放送番組処理装置に適用され、前記映像信号にフレーム同期させるための同期信号を発生する同期発生装置の位相校正を行なう同期位相校正装置であって、
外部から標準時刻情報を取得する標準時刻取得手段と、
外部から位相校正指示信号が入力されたとき、前記標準時刻取得手段の出力から前記映像信号のフレームと前記同期信号との位相誤差を求め、この位相誤差が所定値以下となるタイミングで前記同期発生装置から発生される同期信号の位相を前記映像信号のフレームに合わせるように制御する同期位相制御手段とを具備したことを特徴とする同期位相校正装置。
【手続補正書】
【提出日】平成17年7月15日(2005.7.15)
【手続補正１】
【補正対象書類名】明細書
【補正対象項目名】発明の名称
【補正方法】変更
【補正の内容】
【発明の名称】画像情報処理システム
【手続補正２】
【補正対象書類名】明細書
【補正対象項目名】特許請求の範囲
【補正方法】変更
【補正の内容】
【特許請求の範囲】
【請求項１】
アプリケーションプログラムに関連した特有情報を記憶する特有情報記憶部と、
所定のアプリケーションプログラムに対応して被写体を撮影するための前記特有情報記憶部に記憶されている特有情報に基づいて前記被写体を撮影する撮像部と、
前記所定のアプリケーションプログラムを実行する際に前記撮像部で撮影した画像データを取り込んで実行する実行部と、
前記実行部が前記所定のアプリケーションプログラムを実行することにより生成した画像データを表示する表示部とを備えたことを特徴とする画像情報処理システム。
【請求項２】
前記画像処理システムは前記撮像部とアプリケーションプログラム処理部とから構成され、
前記アプリケーション処理部には前記特有情報記憶部、前記実行部および前記表示部が含まれることを特徴とする請求項１に記載の画像情報処理システム。
【請求項３】
前記画像情報処理システムとは携帯電話、パーソナルコンピュータ、ゲーム機器、テレビ電話機器のいずれかを含むことを特徴とする請求項１に記載の画像情報処理システム。
【請求項４】
前記アプリケーションプログラムとは前記画像情報処理システムで使用するゲーム用プログラムであることを特徴とする請求項１に記載の画像情報処理システム。
【請求項５】
前記画像データとはゲーム用キャラクタであることを特徴とする請求項４に記載の画像情報処理システム。
【請求項６】
前記アプリケーションプログラムとは携帯電話で使用する待ち受け画面であることを特徴とする請求項１に記載の画像情報処理システム。
【手続補正３】
【補正対象書類名】明細書
【補正対象項目名】０００５
【補正方法】変更
【補正の内容】
【０００５】
【問題点を解決する為の手段】
上記問題点の解決のために、請求項１の発明は、アプリケーションプログラムに関連した特有情報を記憶する特有情報記憶部と、所定のアプリケーションプログラムに対応して被写体を撮影するための前記特有情報記憶部に記憶されている特有情報に基づいて前記被写体を撮影する撮像部と、前記所定のアプリケーションプログラムを実行する際に前記撮像部で撮影した画像データを取り込んで実行する実行部と、前記実行部が前記所定のアプリケーションプログラムを実行することにより生成した画像データを表示する表示部とを備えたことを特徴としている。すなわち、特有情報に基づいて撮像部で撮影した画像をゲーム等のアプリケーションプログラムに取り込むことが出来るのでユーザは新鮮な感覚でゲームを行うことが出来る。
【手続補正４】
【補正対象書類名】明細書
【補正対象項目名】０００６
【補正方法】変更
【補正の内容】
【０００６】
請求項２の発明は、前記画像処理システムは前記撮像部とアプリケーションプログラム処理部とから構成され、前記アプリケーション処理部には前記特有情報記憶部、前記実行部および前記表示部が含まれることを特徴としている。
【手続補正５】
【補正対象書類名】明細書
【補正対象項目名】０００７
【補正方法】変更
【補正の内容】
【０００７】
請求項３の発明は、前記画像情報処理システムとは携帯電話、パーソナルコンピュータ、ゲーム機器、テレビ電話機器のいずれかを含むことを特徴としている。請求項４の発明は、前記アプリケーションプログラムとは前記画像情報処理システムで使用するゲーム用プログラムであることを特徴としている。
【手続補正６】
【補正対象書類名】明細書
【補正対象項目名】０００８
【補正方法】変更
【補正の内容】
【０００８】
請求項５の発明は、前記画像データとはゲーム用キャラクタであることを特徴としている。請求項６の発明は、前記アプリケーションプログラムとは携帯電話で使用する待ち受け画面であることを特徴としている。
【手続補正書】
【提出日】平成17年3月16日(2005.3.16)
【手続補正１】
【補正対象書類名】明細書
【補正対象項目名】０００３
【補正方法】変更
【補正の内容】
【０００３】
図１２は、従来のＡＰＣ付き光送信器の構成例を示すブロック図である。図１２において、光送信器は、レーザダイオード（ＬＤ）１０２と、ＬＤ駆動部１０１と、モニタフォトダイオード（ｍ−ＰＤ）１０３と、電流電圧変換部１０４と、ピーク検出部１０５と、基準電圧発生部１０６と、比較部１０７とを備えている。
【手続補正２】
【補正対象書類名】明細書
【補正対象項目名】００７０
【補正方法】変更
【補正の内容】
【００７０】
これら２つの電流信号（ｃ）および（ｄ）が加算され、加算結果（ｅ）をもとにオフセット電圧が生成される。そして、このオフセット電圧が第１および第２の可変利得付加部１および２に与えられ、第１および第２の可変利得付加部１および２はそれぞれ、オフセット電圧が０となるように利得の量を調整する。こうしてモニタ信号（ｃ）とその反転信号（ｄ）とを生成して、それらの加算結果（ｅ）に基づいてＡＰＣを行うことによって、第１ＬＤ５の光出力が一定に保たれる。
【手続補正３】
【補正対象書類名】明細書
【補正対象項目名】００７６
【補正方法】変更
【補正の内容】
【００７６】
一方、電流源２０は、信号”バーＧ”を受け、電流信号（ｃ）と反転関係にあるような電流（ｄ）を出力する。この電流源２０からの電流（ｄ）と、前述の第１ｍ−ＰＤ６からの電流信号（ｃ）とが加算され、加算結果（ｅ）をもとにオフセット電圧が生成される。そして、このオフセット電圧が第１可変利得付加部１に与えられ、第１可変利得付加部１は、オフセット電圧が０となるように利得の量を調整する。こうしてモニタ信号（ｃ）とその反転信号（ｄ）とを生成して、それらの加算結果（ｅ）に基づいてＡＰＣを行うことによって、第１ＬＤ５の光出力が一定に保たれる。
【手続補正書】
【提出日】平成17年5月13日(2005.5.13)
【手続補正１】
【補正対象書類名】明細書
【補正対象項目名】０００２
【補正方法】変更
【補正の内容】
【０００２】  
【従来技術】
一般に、入力されるデジタル信号をアナログ信号に変換するデジタル・アナログ変換機
の一方式として、入力デジタル信号をＰＷＭ波形に変換してアナログ信号化する所謂ＰＷＭ方式が知られている。又、入力信号に基づいて、スピーカなどの負荷を駆動するデジタルアンプ（Ｄ級アンプ）においてもＰＷＭ方式が用いられている。デジタル信号に対するＰＷＭ（以降デジタルＰＷＭと表記する）は本質的に非線形歪みが発生するという欠点を持っている。
【手続補正２】
【補正対象書類名】明細書
【補正対象項目名】図３
【補正方法】変更
【補正の内容】
【図３】
反転したアナログ信号と、反転したデジタル信号と、補間された値に対するＰＷＭについて示す図である。
【手続補正書】
【提出日】平成17年6月24日(2005.6.24)
【手続補正１】
【補正対象書類名】明細書
【補正対象項目名】発明の名称
【補正方法】変更
【補正の内容】
【発明の名称】再生装置
【手続補正２】
【補正対象書類名】明細書
【補正対象項目名】特許請求の範囲
【補正方法】変更
【補正の内容】
【特許請求の範囲】
【請求項１】
記録媒体から複数のグループに分類された複数の情報データと前記グループを管理する管理情報とを再生する再生手段と、
前記管理情報に基づいて前記複数の情報データが属するグループを検出する検出手段と、
前記複数の情報データが属する前記グループの状態を示す情報を前記情報データ毎に表示装置に表示する表示制御手段とを備えることを特徴とする再生装置。
【請求項２】
記録媒体から複数の情報データと前記複数の情報データの再生手順を示す再生リストとを再生する再生手段と、
前記再生リストに応じて前記再生手段の再生動作を制御する再生制御手段と、
前記情報データを指定している前記再生リストに係る情報を前記情報データ毎に表示装置に表示する表示制御手段とを備えることを特徴とする再生装置。
【請求項３】
前記表示制御手段は、前記情報データを指定している前記再生リストの数を表示することを特徴とする請求項２記載の再生装置。
【請求項４】
前記複数の情報データをそれぞれ指定している前記再生リストの数に基づいて前記複数の情報データをソートするソート手段を有し、前記表示制御手段は、前記ソート手段のソート結果を表示することを特徴とする請求項３記載の再生装置。
【請求項５】
前記情報データは画像データを含み、前記表示制御手段は、前記情報データのインデックス画像と共に前記再生リストに関する情報を前記表示装置に表示することを特徴とする請求項２記載の再生装置。
【手続補正３】
【補正対象書類名】明細書
【補正対象項目名】０００１
【補正方法】変更
【補正の内容】
【０００１】
【発明の属する技術分野】
本発明は、画像、音声、テキスト、付加情報等の複数のオブジェクトを管理する管理ファイルや複数のオブジェクトの再生リストを備えた、ビデオカメラ等の記録再生装置や撮像装置において、複数のオブジェクトの表示、グループ化、検索、消去を行う場合に好適な再生装置に関する。
【手続補正４】
【補正対象書類名】明細書
【補正対象項目名】０００７
【補正方法】変更
【補正の内容】
【０００７】
本発明は、上述した点に鑑みなされたものであり、画像、音声、テキスト、付加情報等のオブジェクトの重要度の容易な確認、重要度が高いオブジェクトの抽出、有用なオブジェクトグループの作成保存、不要なオブジェクト群の自動削除等を可能とした再生装置を提供することを目的とする。
【手続補正５】
【補正対象書類名】明細書
【補正対象項目名】０００８
【補正方法】変更
【補正の内容】
【０００８】
【課題を解決するための手段】
上記目的を達成するため、本発明の再生装置は、記録媒体から複数のグループに分類された複数の情報データと前記グループを管理する管理情報とを再生する再生手段と、前記管理情報に基づいて前記複数の情報データが属するグループを検出する検出手段と、前記複数の情報データが属する前記グループの状態を示す情報を前記情報データ毎に表示装置に表示する表示制御手段とを備えることを特徴とする。
【手続補正６】
【補正対象書類名】明細書
【補正対象項目名】０００９
【補正方法】変更
【補正の内容】
【０００９】
また、本発明の再生装置は、記録媒体から複数の情報データと前記複数の情報データの再生手順を示す再生リストとを再生する再生手段と、前記再生リストに応じて前記再生手段の再生動作を制御する再生制御手段と、前記情報データを指定している前記再生リストに係る情報を前記情報データ毎に表示装置に表示する表示制御手段とを備えることを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００５９
【補正方法】削除
【補正の内容】
【手続補正１８】
【補正対象書類名】明細書
【補正対象項目名】００６０
【補正方法】削除
【補正の内容】
【手続補正１９】
【補正対象書類名】明細書
【補正対象項目名】００６１
【補正方法】削除
【補正の内容】
【手続補正２０】
【補正対象書類名】明細書
【補正対象項目名】００６２
【補正方法】削除
【補正の内容】
【手続補正２１】
【補正対象書類名】明細書
【補正対象項目名】００６３
【補正方法】削除
【補正の内容】
【手続補正２２】
【補正対象書類名】明細書
【補正対象項目名】００６４
【補正方法】削除
【補正の内容】
【手続補正２３】
【補正対象書類名】明細書
【補正対象項目名】００６５
【補正方法】削除
【補正の内容】
【手続補正２４】
【補正対象書類名】明細書
【補正対象項目名】００６６
【補正方法】削除
【補正の内容】
【手続補正２５】
【補正対象書類名】明細書
【補正対象項目名】００６７
【補正方法】削除
【補正の内容】
【手続補正２６】
【補正対象書類名】明細書
【補正対象項目名】００６８
【補正方法】削除
【補正の内容】
【手続補正２７】
【補正対象書類名】明細書
【補正対象項目名】００６９
【補正方法】削除
【補正の内容】
【手続補正２８】
【補正対象書類名】明細書
【補正対象項目名】００７０
【補正方法】変更
【補正の内容】
【００７０】
【発明の効果】
以上説明したように、本発明によれば、複数の情報データが属するグループの状態を示す情報を情報データ毎に表示により確認できるため、各情報データの重要度を容易に確認できるなどの効果がある。
【手続補正２９】
【補正対象書類名】明細書
【補正対象項目名】００７１
【補正方法】変更
【補正の内容】
【００７１】
また、本発明によれば、複数の情報データがそれぞれ指定されている再生リストに係る情報を情報データ毎に表示により確認できるため、各情報データの重要度を容易に確認できるなどの効果がある。
【手続補正３０】
【補正対象書類名】明細書
【補正対象項目名】００７２
【補正方法】削除
【補正の内容】
【手続補正３１】
【補正対象書類名】明細書
【補正対象項目名】００７３
【補正方法】削除
【補正の内容】
【手続補正書】
【提出日】平成17年6月7日(2005.6.7)
【手続補正１】
【補正対象書類名】明細書
【補正対象項目名】特許請求の範囲
【補正方法】変更
【補正の内容】
【特許請求の範囲】
【請求項１】
画像データの所定領域に属するビット列を所定シフト量だけビットシフトするビットシフト手段と、
前記ビット列がビットシフトされた前記画像データをエントロピー符号化して符号化データを生成する符号化手段と、
前記符号化データのうち前記所定領域に属する符号化データを暗号化する暗号化手段と
を備えることを特徴とする情報処理装置。
【請求項２】
画像データの所定領域に属するビット列を所定シフト量だけビットシフトするビットシフト手段と、
ビットシフトされた前記ビット列を暗号化する暗号化手段と、
前記ビット列が暗号化された前記画像データをエントロピー符号化する符号化手段と
を備えることを特徴とする情報処理装置。
【請求項３】
画像データを周波数変換する周波数変換手段と、
周波数変換された画像データの所定周波数帯域の変換係数を量子化してビット列を生成する量子化手段と
をさらに備えることを特徴とする請求項１又は２に記載の情報処理装置。
【請求項４】
前記画像データ内の暗号化する領域を指定する指定手段をさらに備えることを特徴とする請求項１から３までのいずれか１項に記載の情報処理装置。
【請求項５】
前記シフト量は、前記画像データにおける暗号化されない領域に属するビット列がとり得る値の範囲外の量であることを特徴とする請求項１から４までのいずれか１項に記載の情報処理装置。
【請求項６】
前記周波数変換手段が、前記画像データを複数の周波数帯域成分に分解し、
分解された周波数帯域成分ごとに前記画像データの符号化及び暗号化処理を実行することを特徴とする請求項３記載の情報処理装置。
【請求項７】
所定領域が暗号化された符号化画像データを復号する情報処理装置であって、
前記符号化画像データの前記所定領域に属する部分を暗号復号する暗号復号手段と、
前記所定領域が暗号復号された前記符号化画像データをエントロピー復号してビット列を生成する復号手段と、
前記ビット列の前記所定領域に属する部分を所定シフト量だけビットシフトするビットシフト手段と
を備えることを特徴とする情報処理装置。
【請求項８】
所定領域が暗号化された符号化画像データを復号する情報処理装置であって、
前記符号化画像データをエントロピー復号してビット列を生成する復号手段と、
前記ビット列の前記所定領域に属する部分を暗号復号する暗号復号手段と、
暗号復号された前記ビット列のうち、前記所定領域に属するビット列を所定シフト量だけビットシフトするビットシフト手段と
を備えることを特徴とする情報処理装置。
【請求項９】
前記ビット列を逆量子化して所定の周波数変換係数を生成する逆量子化手段と、
前記周波数変換係数を逆変換する逆変換手段と、
逆変換された複数の周波数変換係数を統合して一の画像データを復元する復元手段と
をさらに備えることを特徴とする請求項７又は８に記載の情報処理装置。
【請求項１０】
前記シフト量は、前記符号化画像データの符号化時にビットシフトされた値と同一であることを特徴とする請求項７から９までのいずれか１項に記載の情報処理装置。
【請求項１１】
画像データの所定領域に属するビット列を所定シフト量だけビットシフトするビットシフト工程と、
前記ビット列がビットシフトされた前記画像データをエントロピー符号化して符号化データを生成する符号化工程と、
前記符号化データのうち前記所定領域に属する符号化データを暗号化する暗号化工程と
を有することを特徴とする情報処理方法。
【請求項１２】
画像データの所定領域に属するビット列を所定シフト量だけビットシフトするビットシフト工程と、
ビットシフトされた前記ビット列を暗号化する暗号化工程と、
前記ビット列が暗号化された前記画像データをエントロピー符号化する符号化工程と
を有することを特徴とする情報処理方法。
【請求項１３】
所定領域が暗号化された符号化画像データを復号する情報処理方法であって、
前記符号化画像データの前記所定領域に属する部分を暗号復号する暗号復号工程と、
前記所定領域が暗号復号された前記符号化画像データをエントロピー復号してビット列を生成する復号工程と、
前記ビット列の前記所定領域に属する部分を所定シフト量だけビットシフトするビットシフト工程と
を有することを特徴とする情報処理方法。
【請求項１４】
所定領域が暗号化された符号化画像データを復号する情報処理方法であって、
前記符号化画像データをエントロピー復号してビット列を生成する復号工程と、
前記ビット列の前記所定領域に属する部分を暗号復号する暗号復号工程と、
暗号復号された前記ビット列のうち、前記所定領域に属するビット列を所定シフト量だけビットシフトするビットシフト工程と
を有することを特徴とする情報処理方法。
【請求項１５】
請求項１から１０までのいずれか１項に記載の情報処理装置の機能をコンピュータに実行させるためのプログラム。
【請求項１６】
請求項１５に記載のプログラムを格納したことを特徴とするコンピュータ読み取り可能な記憶媒体。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正書】
【提出日】平成17年2月9日(2005.2.9)
【手続補正１】
【補正対象書類名】明細書
【補正対象項目名】発明の名称
【補正方法】変更
【補正の内容】
【発明の名称】光送信装置
【手続補正２】
【補正対象書類名】明細書
【補正対象項目名】特許請求の範囲
【補正方法】変更
【補正の内容】
【特許請求の範囲】
【請求項１】
連続しているデータを分割し、分割後の各データを断続的に出力するデータ出力手段と、上記データ出力手段から出力されたデータを電気信号から光信号に変換し、その光信号を局側装置に送信する送信手段とを備えた光送信装置において、上記送信手段が予め設定された期間以上連続して光信号を送信すると、その光信号の送信を停止させる送信停止手段を設けたことを特徴とする光送信装置。
【請求項２】
送信停止手段は、送信手段から送信される光信号を検出するとタイマを起動し、その光信号の検出が途絶える前に上記タイマがタイムアウトすると、その光信号の送信停止を指示するアラーム信号を出力することを特徴とする請求項１記載の光送信装置。
【請求項３】
タイマのタイムアウト設定値の変更を受け付ける設定変更手段を設けたことを特徴とする請求項２記載の光送信装置。
【請求項４】
設定変更手段は、ＰＯＮシステムを構成する他の装置の要求に応じてタイマのタイムアウト設定値を変更することを特徴とする請求項３記載の光送信装置。
【請求項５】
送信停止手段は、送信手段を構成する発光素子が発する光を受光するモニタ用受光素子の出力信号を監視して、上記送信手段から送信される光信号を検出することを特徴とする請求項２記載の光送信装置。
【請求項６】
送信停止手段は、送信手段を構成する発光素子の駆動電圧又は駆動電流、あるいは、上記発光素子に供給される電源電流、あるいは、上記送信手段に供給される電源電流を監視して、上記送信手段から送信される光信号を検出することを特徴とする請求項２記載の光送信装置。
【請求項７】
送信停止手段は、送信手段を構成する発光素子に供給される駆動信号又は電源、あるいは、上記送信手段に供給される電源、あるいは、電源回路の内部主電源を止めることを特徴とする請求項１記載の光送信装置。
【請求項８】
送信停止手段は、光信号の送信を停止させると、異常発生を示す情報を表示することを特徴とする請求項１記載の光送信装置。
【請求項９】
送信停止手段から出力されたアラーム信号を保持するアラーム状態保持手段を設けたことを特徴とする請求項２記載の光送信装置。
【手続補正３】
【補正対象書類名】明細書
【補正対象項目名】０００９
【補正方法】変更
【補正の内容】
【０００９】
【課題を解決するための手段】
この発明に係る光送信装置は、送信手段が予め設定された期間以上連続して光信号を送信すると、その光信号の送信を停止させる送信停止手段を設けたものである。
【手続補正４】
【補正対象書類名】明細書
【補正対象項目名】００１０
【補正方法】変更
【補正の内容】
【００１０】
この発明に係る光送信装置は、送信手段から送信される光信号を検出するとタイマを起動し、その光信号の検出が途絶える前にタイマがタイムアウトすると、その光信号の送信停止を指示するアラーム信号を出力するようにしたものである。
【手続補正５】
【補正対象書類名】明細書
【補正対象項目名】００１１
【補正方法】変更
【補正の内容】
【００１１】
この発明に係る光送信装置は、タイマのタイムアウト設定値の変更を受け付けるようにしたものである。
【手続補正６】
【補正対象書類名】明細書
【補正対象項目名】００１２
【補正方法】変更
【補正の内容】
【００１２】
この発明に係る光送信装置は、ＰＯＮシステムを構成する他の装置の要求に応じてタイマのタイムアウト設定値を変更するようにしたものである。
【手続補正７】
【補正対象書類名】明細書
【補正対象項目名】００１３
【補正方法】変更
【補正の内容】
【００１３】
この発明に係る光送信装置は、送信手段を構成する発光素子が発する光を受光するモニタ用受光素子の出力信号を監視して、送信手段から送信される光信号を検出するようにしたものである。
【手続補正８】
【補正対象書類名】明細書
【補正対象項目名】００１４
【補正方法】変更
【補正の内容】
【００１４】
この発明に係る光送信装置は、送信手段を構成する発光素子の駆動電圧又は駆動電流、あるいは、発光素子に供給される電源電流、あるいは、送信手段に供給される電源電流を監視して、送信手段から送信される光信号を検出するようにしたものである。
【手続補正９】
【補正対象書類名】明細書
【補正対象項目名】００１５
【補正方法】変更
【補正の内容】
【００１５】
この発明に係る光送信装置は、送信手段を構成する発光素子に供給される駆動信号又は電源、あるいは、送信手段に供給される電源、あるいは、電源回路の内部主電源を止めるようにしたものである。
【手続補正１０】
【補正対象書類名】明細書
【補正対象項目名】００１６
【補正方法】変更
【補正の内容】
【００１６】
この発明に係る光送信装置は、光信号の送信を停止させると、異常発生を示す情報を表示するようにしたものである。
【手続補正１１】
【補正対象書類名】明細書
【補正対象項目名】００１７
【補正方法】変更
【補正の内容】
【００１７】
この発明に係る光送信装置は、送信停止手段から出力されたアラーム信号を保持するアラーム状態保持手段を設けたものである。
【手続補正１２】
【補正対象書類名】明細書
【補正対象項目名】００４１
【補正方法】変更
【補正の内容】
【００４１】
【発明の効果】
以上のように、この発明によれば、送信手段が予め設定された期間以上連続して光信号を送信すると、その光信号の送信を停止させる送信停止手段を設けるように構成したので、故障や暴走に伴う光信号の連続出力を検出して、ＰＯＮシステム全体の通信不能を回避することができる効果がある。
【手続補正１３】
【補正対象書類名】明細書
【補正対象項目名】００４８
【補正方法】変更
【補正の内容】
【００４８】
この発明によれば、光信号の送信を停止させると、異常発生を示す情報を表示するように構成したので、端末側の光送信装置のユーザが、異常が発生している旨を認識することができる効果がある。
【手続補正１４】
【補正対象書類名】明細書
【補正対象項目名】００４９
【補正方法】変更
【補正の内容】
【００４９】
この発明によれば、送信停止手段から出力されたアラーム信号を保持するアラーム状態保持手段を設けるように構成したので、暴走と復帰の繰り返しを防止することができる効果がある。
【手続補正書】
【提出日】平成16年9月21日(2004.9.21)
【手続補正１】
【補正対象書類名】特許請求の範囲
【補正対象項目名】全文
【補正方法】変更
【補正の内容】
【特許請求の範囲】
【請求項１】
ノッチ指令及びブレーキ力指令を含む運転情報を得て車両の運転状態を決定す
る車両制御手段と、決定した運転状態に応じて電力変換器を制御する変換器制御
手段を備え、
１台の前記車両制御手段に対して複数台の前記変換器制御手段を接続すると共
に、前記複数台の変換器制御手段に対して出力トルク指令値を個別に設定するこ
とを特徴とする車両用電力変換器の制御装置。
【請求項２】
請求項１において、前記車両制御手段は、前記複数台の変換器制御手段に対し
て前記電力変換器の起動、停止を個別に設定することを特徴とする車両用電力変
換器の制御装置。
【請求項３】
請求項１において、前記複数台の変換器制御手段によって駆動される複数台の
電動機の一台に空転又は滑走が発生した場合、前記車両制御手段は、該当変換器
制御手段から空転又は滑走データを受信すると共に、他の変換器制御手段に電流
指令値を低減させる指令データを送信し、電動機のトルクを低減させることを特
徴とする車両用電力変換器の制御装置。
【請求項４】
請求項１から請求項３のいずれかにおいて、前記車両制御手段と前記各変換器
制御手段は相互に通信可能なシリアル通信手段により接続することを特徴とする
車両用電力変換器の制御装置。
【手続補正２】
【補正対象書類名】明細書
【補正対象項目名】０００５
【補正方法】変更
【補正の内容】
【０００５】
上記課題を解決するために、ノッチ指令及びブレーキ力指令を含む運転情報を
得て車両の運転状態を決定する車両制御手段と、決定した運転状態に応じて電力
変換器を制御する変換器制御手段を備え、１台の車両制御手段に対して複数台の
変換器制御手段を接続すると共に、複数台の変換器制御手段に対して出力トルク
指令値を個別に設定する。
ここで、車両制御手段は、複数台の変換器制御手段に対して電力変換器の起動、
停止を個別に設定する。
ここで、複数台の変換器制御手段によって駆動される複数台の電動機の一台に
空転又は滑走が発生した場合、車両制御手段は、該当変換器制御手段から空転又
は滑走データを受信すると共に、他の変換器制御手段に電流指令値を低減させる
指令データを送信し、電動機のトルクを低減させる。
ここで、車両制御手段と各変換器制御手段は相互に通信可能なシリアル通信手
段により接続する。
【手続補正書】
【提出日】平成17年5月27日(2005.5.27)
【手続補正１】
【補正対象書類名】明細書
【補正対象項目名】発明の名称
【補正方法】変更
【補正の内容】
【発明の名称】サーボモータの制動方法およびＡＣサーボドライバ
【手続補正２】
【補正対象書類名】明細書
【補正対象項目名】特許請求の範囲
【補正方法】変更
【補正の内容】
【特許請求の範囲】
【請求項１】
直流電圧を３相電圧に変換し、モータに印加するインバータを有するＡＣサーボドライバにおいて、
３相モータ端子の内２端子を短絡／開放するための開閉器を設け、
前記インバータに異常があると判断した場合は、前記開閉器を短絡してダイナミックブレーキ制動し、前記インバータに異常がない場合に非常停止を行う場合は、前記インバータの上あるいは下アーム３個を全点弧し環流用ダイオードと合わせてダイナミック制動することを特徴とする、サーボモータの制動方法。
【請求項２】
直流電圧を３相電圧に変換し、モータに印加するインバータを有するＡＣサーボドライバにおいて、
３相モータ端子の内２端子を短絡／開放するための開閉器と、
前記インバータのパワートランジスタ（４）に異常がある場合は、前記開閉器を短絡してダイナミックブレーキ制動し、前記インバータのパワートランジスタ（４）に異常がない場合に非常停止を行う場合は、前記インバータの上あるいは下アーム３個を全点弧し環流用ダイオードと合わせてダイナミック制動する手段と、を備えたことを特徴とするＡＣサーボドライバ。
【手続補正３】
【補正対象書類名】明細書
【補正対象項目名】０００７
【補正方法】変更
【補正の内容】
【０００７】
【課題を解決するための手段】
上記目的を達成するために、本発明は、３相モータ端子の内２端子を短絡／開放するための開閉器を設け、インバータに異常があると判断した場合は、開閉器を短絡してダイナミックブレーキ制動し、インバータに異常がない場合に非常停止を行う場合は、インバータの上あるいは下アーム３個を全点弧し環流用ダイオードと合わせてダイナミック制動する。
また、直流電圧を３相電圧に変換し、モータに印加するインバータを有するＡＣサーボドライバにおいて、３相モータ端子の内２端子を短絡／開放するための開閉器と、前記インバータのパワートランジスタ（４）に異常がある場合は、前記開閉器を短絡してダイナミックブレーキ制動し、前記インバータのパワートランジスタ（４）に異常がない場合に非常停止を行う場合は、前記インバータの上あるいは下アーム３個を全点弧し環流用ダイオードと合わせてダイナミック制動する手段と、を備えたことを特徴とするＡＣサーボドライバ。